(57)【要約】【課題】撮像装置からの電磁波ノイズ漏れを従来の画像読取装置よりも確実に抑制する。【解決手段】原稿を光照射しつつ走査するとともに原稿からの反射光をレンズ装置３で後方の撮像装置４に結像させる画像読取装置１０。撮像装置４はシールド筐体９で覆われており、シールド筐体９は開口部９３０を有する前壁９３１を含んでおり、レンズ装置３のレンズ保持鏡胴３０は、絞り部Ｓｑに臨むとともに入射されて撮像装置４に結像されるべき光の通過を許す範囲で絞られた絞り開口３５１を有する導電性リング３５を含んでおり、前壁９３は絞り開口３５１を有する導電性リング３５に臨む部位に開口部９３０で外嵌係合されており、シールド筐体９の前壁９３及びレンズ装置取り付け部材５のうち少なくとも一方が導電性リング３５に導通状態におかれている。【選択図】図６
2012151620.tif 000002
【特許請求の範囲】
【請求項１】
原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置であり、
前記シールド筐体は前記レンズ装置の光軸方向において前記撮像装置より前位置をとる前壁を含んでおり、前記前壁は開口部を含んでおり、
前記レンズ装置のレンズ保持鏡胴は、前記レンズ装置の絞り部に臨むとともに前記レンズ装置に入射されて前記撮像装置に結像されるべき光の通過を許す範囲で絞られた絞り開口を有する導電性部を含んでおり、
前記前壁は前記レンズ保持鏡胴の前記導電性部に臨む部位に前記開口部で外嵌係合されており、
前記レンズ装置はレンズ装置取り付け部材に取り付けられており、
前記シールド筐体の前記前壁及び前記レンズ装置取り付け部材のうち少なくとも一方が前記絞り開口を有する導電性部に導通状態におかれていることを特徴とする画像読取装置。
【請求項２】
前記レンズ保持鏡胴は本体が非導電性材料で形成されており、前記レンズ保持鏡胴本体内部に前記絞り開口を有する導電性部が内蔵されており、前記レンズ保持鏡胴本体壁に少なくとも一つの孔が形成されており、前記シールド筐体の前記前壁及び前記レンズ装置取り付け部材のうち少なくとも一方は突起部を有しており、前記突起部が前記レンズ保持鏡胴本体壁の孔を貫通して前記絞り開口を有する導電性部に導通状態におかれている請求項１記載の画像読取装置。
【請求項３】
前記レンズ保持鏡胴は本体が非導電性材料で形成されており、前記レンズ保持鏡胴本体内部に前記絞り開口を有する導電性部が内蔵されており、前記絞り開口を有する導電性部は前記レンズ保持鏡胴本体壁に形成された少なくとも一つの孔を貫通する少なくとも一つの突起部を有しており、前記シールド筐体の前記前壁及び前記レンズ装置取り付け部材のうち少なくとも一方は前記レンズ保持鏡胴本体壁に形成された前記孔を貫通する前記突起部に導通状態におかれている請求項１記載の画像読取装置。
【請求項４】
前記絞り開口を有する導電性部を含む前記レンズ保持鏡胴は導電性材料で形成されており、前記シールド筐体の前記前壁及び前記レンズ装置取り付け部材のうち少なくとも一方は前記レンズ保持鏡胴に導通可能に係合している請求項１記載の画像読取装置。
【請求項５】
前記レンズ保持鏡胴の鏡胴壁に少なくとも一つの孔が形成されており、前記シールド筐体の前記前壁及び前記レンズ装置取り付け部材のうち少なくとも一方は突起部を有しており、前記突起部が前記鏡胴壁の孔に挿入係合されていることで前記シールド筐体の前記前壁及び前記レンズ装置取り付け部材のうち少なくとも一方が前記レンズ保持鏡胴に導通可能に係合している請求項４記載の画像読取装置。
【請求項６】
前記レンズ保持鏡胴の鏡胴壁に少なくとも一つの座ぐり部が形成されており、前記シールド筐体の前記前壁及び前記レンズ装置取り付け部材のうち少なくとも一方が前記座ぐり部に嵌入係合されていることで前記シールド筐体の前記前壁及び前記レンズ装置取り付け部材のうち少なくとも一方が前記レンズ保持鏡胴に導通可能に係合している請求項４記載の画像読取装置。
【請求項７】
前記レンズ保持鏡胴は黒アルマイト処理されたアルミニゥム材で形成されている請求項４、５又は６記載の画像読取装置。
【請求項８】
請求項１から７のいずれか１項に記載の画像読取装置を備えた画像形成装置。
【発明の詳細な説明】
【技術分野】
【０００１】
本発明は原稿に光照射しつつ前記原稿を走査するとともに前記原稿からの画像情報を含む反射光をレンズ装置で前記レンズ装置後方の撮像装置に結像させる画像読取装置に関する。
【背景技術】
【０００２】
この種の画像読取装置の代表例として図１２に示すものを例示できる。図１２の画像読取装置１０’は画像読取装置フレームＦに次のものを搭載したものである。すなわち、
原稿載置用ガラス板Ｇ１及び原稿流し撮り用ガラス板Ｇ２と、
それらガラス板Ｇ１、Ｇ２の下方に配置されてガラス板Ｇ１又はＧ２上の原稿を照明するとともに原稿からの反射光を原稿副走査方向Ｘに反射する第１走査ユニットＵ１と、
第１走査ユニットＵ１からの反射光を副走査方向Ｘに反対側へ折り返し反射する第２走査ユニットＵ２と、
レンズ装置３Ａ及びその後方の撮像装置４等である。
レンズ装置３Ａは第２ユニットＵ２からの反射光を撮像装置４に結像させる光学系である。
【０００３】
図示の画像読取装置１０’にはフレームＦに開閉カバーを兼ねる自動原稿搬送装置（図示省略）が開閉可能にヒンジ（図示省略）連結される。
【０００４】
第１走査ユニットＵ１はガラス板Ｇ１又はＧ２上の原稿に光照射する照明灯１１と、該原稿からの反射光を原稿副走査方向Ｘに反射するミラー１２と含んでいる。
第２走査ユニットＵ２は第１走査ユニットＵ１からの反射光を副走査方向Ｘに反対側へ折り返し反射するミラー２１、２２を含んでいる。
【０００５】
このタイプの画像読取装置によると、図示省略の走査ユニット駆動機構により第１及び第２の走査ユニットＵ１、Ｕ２を原稿読み取り開始位置から原稿副走査方向Ｘに移動させつつ原稿載置用ガラス板Ｇ１上に載置された原稿を光学的に走査するとともに原稿から反射されてくる画像情報を含んだ反射光をレンズ装置３Ａにより撮像装置４に結像させることができる。このとき第２走査ユニットＵ２は第１走査ユニットＵ１の２分の１の速度で移動し、原稿から撮像装置４の結像位置までの距離が一定に維持される。
【０００６】
或いは、自動原稿搬送装置により原稿をガラス板Ｇ２に沿わせつつ搬送するとともに走査ユニットＵ１、Ｕ２を原稿流し撮りのための定位置に配置して該原稿を読み取ることもできる。
【０００７】
いずれにしても、撮像装置４に読み取られた画像情報は図示省略の画像処理部等で必要な処理が施され、該画像処理部から出力される。
このような画像読取装置１０’は複写機の一部、複写機の機能とファクシミリ機の機能を併せ持った複合機の一部などとして用いられ、また、パーソナルコンピュータに接続されて、或いはコンピュータを介してプリンタに接続されるなどして利用される。
【０００８】
前記画像処理部から出力される画像情報は、原稿の複写画像の形成、相手方フアクシミリ機への原稿画像情報の送信、コンピュータのディスプレイでの画像表示、プリンタによる画像プリントなどに供される。
【０００９】
いずれにしても、前記撮像装置は、電荷結合素子（ＣＣＤ）のような光電変換素子を採用するものが主流であり、このような光電変換素子は画像読取に際し電磁波ノイズを発する。この電磁波ノイズは、この撮像装置を利用している機器自身の誤動作を招いたり、周辺のプリンタ等のオフィス機器、医療機器等に悪影響を及ぼし、場合によってはそれらの誤動作を招くことがある。
【００１０】
そのため、そのような撮像装置は電磁波ノイズ放出を抑制するためのシールド筐体で覆われるのが一般的である。
【００１１】
しかし今日では、読取速度を向上させるため、撮像装置での読み取りクロックがますます上がってきている。そのため、撮像装置を単にシールド筐体で覆っているというだけでは電磁波ノイズ漏れを十分に防げないようになってきている。
【００１２】
この問題に対処するため、シールド筐体の止めねじの間隔を小さくしたり、電磁波漏れ防止のためのフェライトコアと称されている部品やガスケットなどの高価な部品が採用されるなどしている。
【００１３】
しかし、シールド筐体の止めねじの間隔を小さくしたり、電磁波漏れ防止のための上記のような高価な部品を採用しても、原稿に光照射しつつ前記原稿を走査するとともに前記原稿からの画像情報を含む反射光をレンズ装置で前記レンズ装置後方の撮像装置に結像させる画像読取装置では、レンズ装置における光路確保のための開口が必要なため、そのために設けられる大きい開口から電磁波が漏れるという問題を解決し難い。
【００１４】
なお、撮像装置を覆うシールド筐体をレンズ装置から撮像装置へ至る遮光用カバーとの２重構成としたり、シールド筐体をレンズ装置の光入射側端部（前端部）まで覆う大きい筐体としたりすること（例えば特開平８−３２７６２号公報）も提案されている。
【先行技術文献】
【特許文献】
【００１５】
【特許文献１】特開平８−３２７６２号公報
【発明の概要】
【発明が解決しようとする課題】
【００１６】
しかしながら、上記のような２重構造や大きいシールド筐体を採用しても、レンズ装置における光路確保のための大きい開口から電磁波が漏れるという問題を解決し難いうえ、コスト高を招く。
【００１７】
そこで本発明は、原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置であって、従来の同種の画像読取装置と比べるとより確実に電磁波ノイズ漏れを抑制することができる画像読取装置を提供することを第１の課題とする。
【００１８】
また本発明は、原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置を備えた画像形成装置であって、該画像読取装置の撮像装置からの電磁波ノイズ漏れを従来の同種の画像読取装置と比べるとより確実に抑制することができ、それだけ電磁波ノイズの影響少なく良好に画像形成できる画像形成装置を提供することを第２の課題とする。
【００１９】
本発明は前記第１の課題を解決するため、
原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置であり、
前記シールド筐体は前記レンズ装置の光軸方向において前記撮像装置より前位置をとる前壁を含んでおり、前記前壁は開口部を含んでおり、
前記レンズ装置のレンズ保持鏡胴は、前記レンズ装置の絞り部に臨むとともに前記レンズ装置に入射されて前記撮像装置に結像されるべき光の通過を許す範囲で絞られた絞り開口を有する導電性部を含んでおり、
前記前壁は前記レンズ保持鏡胴の前記導電性部に臨む部位に前記開口部で外嵌係合されており、
前記レンズ装置はレンズ装置取り付け部材に取り付けられており、
前記シールド筐体の前記前壁及び前記レンズ装置取り付け部材のうち少なくとも一方が前記絞り開口を有する導電性部に導通状態におかれていることを特徴とする画像読取装置を提供する。
【００２０】
本発明に係る画像読取装置によると、前記レンズ装置のレンズ保持鏡胴は、前記レンズ装置のレンズ絞り位置に臨むとともに前記レンズ装置に入射されて前記撮像装置に結像されるべき光の通過を許す範囲で絞られた、絞り開口を有する導電性部を含んでいる。
換言すれば、この導電性部材は前記レンズ装置の光路が括れた絞り部、すなわち有効光路内で最も光路断面積が小さいところに臨んでおり、前記レンズ装置に入射されて前記撮像装置に結像されるべき光の通過を許す範囲で絞られた絞り開口を有している。
【００２１】
前記撮像装置を覆う電磁波ノイズ漏れ抑制のためのシールド筐体は、その前壁がこの絞り開口を有する導電性部に臨むレンズ保持鏡胴部位に前記開口部で外嵌係合されており、前記シールド筐体の前記前壁及び前記レンズ装置取り付け部材のうち少なくとも一方が前記絞り開口を有する導電性部に導通状態におかれている
【００２２】
したがって、撮像素子からの電磁波ノイズ漏れを、シールド筐体だけでなくこのシールド筐体と前記絞り開口を有する導電性部とで抑制することができ、従来問題とされてきた、レンズ装置における光路確保のための大きい開口からの電磁波ノイズ漏れをそれだけ解消できる。
【００２３】
かくして、従来の同種の画像読取装置、すなわち、原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置と比べるとより確実に電磁波ノイズ漏れを抑制することができる。
【００２４】
前記シールド筐体及び前記レンズ装置取り付け部材のうち少なくとも一方は、電磁波ノイズ放射をより確実に抑制するために、画像読取装置フレームに導通状態におかれていてもよい。
【００２５】
本発明に係る画像読取装置の例として、例えば次の画像読取装置（１）〜（６）を挙げることができる。
＜画像読取装置（１）＞  
前記レンズ保持鏡胴は本体が非導電性材料（例えば合成樹脂）で形成されており、前記レンズ保持鏡胴本体内部に前記絞り開口を有する導電性部が内蔵されており、前記レンズ保持鏡胴本体壁に少なくとも一つの孔が形成されており、前記シールド筐体の前記前壁及び前記レンズ装置取り付け部材のうち少なくとも一方は突起部を有しており、前記突起部が前記レンズ保持鏡胴本体壁の孔を貫通して前記絞り開口を有する導電性部に導通状態におかれている画像読取装置。
【００２６】
画像読取装置（１）では、
（ａ）前記シールド筐体が突起部を有していて、該突起部が前記レンズ保持鏡胴本体壁の孔を貫通して前記導電性部に導通状態におかれている場合、
（ｂ）前記レンズ装置取り付け部材が突起部を有していて、該突起部が前記レンズ保持鏡胴本体壁の孔を貫通して前記導電性部に導通状態におかれている場合、
（ｃ）前記シールド筐体及び前記レンズ装置取り付け部材がそれぞれ突起部を有していて、該突起部が前記レンズ保持鏡胴本体壁の各突起部に対応する孔を貫通して前記導電性部に導通状態におかれている場合を例示できる。
（ｃ）の場合、前記シールド筐体は導電性部を介して前記レンズ装置取り付け部材に導通状態におかれる。
【００２７】
＜画像読取装置（２）＞
前記レンズ保持鏡胴は本体が非導電性材料（例えば合成樹脂）で形成されており、前記レンズ保持鏡胴本体内部に前記絞り開口を有する導電性部が内蔵されており、前記絞り開口を有する導電性部は前記レンズ保持鏡胴本体壁に形成された少なくとも一つの孔を貫通する少なくとも一つの突起部を有しており、前記シールド筐体の前記前壁及び前記レンズ装置取り付け部材のうち少なくとも一方は前記レンズ保持鏡胴本体壁に形成された前記孔を貫通する前記突起部に導通状態におかれている画像読取装置。
【００２８】
画像読取装置（２）では、
（ａ）前記シールド筐体が前記導電性部の突起部に導通状態におかれている場合、
（ｂ）前記レンズ装置取り付け部材が前記導電性部の突起部に導通状態におかれている場合、
（ｃ）前記シールド筐体及び前記レンズ装置取り付け部材のそれぞれが、それらに対応する前記導電性部の突起部に導通状態におかれている場合を例示できる。
（ｃ）の場合、前記シールド筐体は導電性部を介して前記レンズ装置取り付け部材に導通状態におかれる。
【００２９】
＜画像読取装置（３）＞
前記絞り開口を有する導電性部を含む前記レンズ保持鏡胴は導電性材料で形成されており、前記シールド筐体の前記前壁及び前記レンズ装置取り付け部材のうち少なくとも一方は前記レンズ保持鏡胴に導通可能に係合している画像読取装置。
【００３０】
この画像読取装置において、前記シールド筐体の前記前壁及び前記レンズ装置取り付け部材のいずれもが前記レンズ保持鏡胴に導通可能に係合している場合は、前記シールド筐体は前記レンズ保持鏡胴、延いては前記導電性部を介して前記レンズ装置取り付け部材に導通状態におかれる。
【００３１】
＜画像読取装置（４）＞
前記画像読取装置（３）において、前記レンズ保持鏡胴の鏡胴壁に少なくとも一つの孔が形成されており、前記シールド筐体の前記前壁及び前記レンズ装置取り付け部材のうち少なくとも一方は突起部を有しており、前記突起部が前記鏡胴壁の孔に挿入係合されていることで前記シールド筐体の前記前壁及び前記レンズ装置取り付け部材のうち少なくとも一方が前記レンズ保持鏡胴に導通可能に係合している画像読取装置。
【００３２】
＜画像読取装置（５）＞
前記画像読取装置（３）において、前記レンズ保持鏡胴の鏡胴壁に少なくとも一つの座ぐり部が形成されており、前記シールド筐体の前記前壁及び前記レンズ装置取り付け部材のうち少なくとも一方が前記座ぐり部に嵌入係合されていることで前記シールド筐体の前記前壁及び前記レンズ装置取り付け部材のうち少なくとも一方が前記レンズ保持鏡胴に導通可能に係合している画像読取装置。
【００３３】
画像読取装置（３）〜（５）において前記レンズ保持鏡胴は、撮像装置への光ノイズ侵入を抑制するため、例えば黒アルマイト処理されたアルミニゥム材で形成してもよい。
【００３４】
いずれにしても、本発明に係る画像読取装置における前記撮像装置としては、例えば、撮像素子が電荷結合素子（ＣＣＤ）のような光電変換素子を採用するものを挙げることができる。しかし、他のタイプの撮像素子を採用するものでも構わない。
【００３５】
本発明は前記第２の課題を解決するため、本発明に係る画像読取装置を備えた画像形成装置を提供する。
本発明に係る画像形成装置は、本発明に係る画像読取装置を備えているので、画像読取装置の撮像装置からの電磁波ノイズ漏れを従来の同種の画像読取装置と比べるとより確実に抑制することができ、それだけ電磁波ノイズの影響少なく良好に画像形成できる。
【発明の効果】
【００３６】
本発明によると、原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置であって、従来の同種の画像読取装置と比べるとより確実に電磁波ノイズ漏れを抑制することができる画像読取装置を提供することができる。
【００３７】
また本発明によると、原稿に光照射しつつ前記原稿を走査するとともに前記原稿からの画像情報を含む反射光をレンズ装置で前記レンズ装置後方の撮像装置に結像させることができ、前記撮像装置は電磁波ノイズ漏れ抑制のためのシールド筐体で覆われている画像読取装置を備えた画像形成装置であって、該画像読取装置の撮像装置からの電磁波ノイズ漏れを従来の同種の画像読取装置と比べるとより確実に抑制することができ、それだけ電磁波ノイズの影響少なく良好に画像形成できる画像形成装置を提供することができる。
【図面の簡単な説明】
【００３８】
【図１】本発明に係る画像読取装置の１例を備えた画像形成装置の１例を示す図である。
【図２】図１に示す画像読取装置の内部構造の概略を示す図である。
【図３】図２の画像読取装置におけるレンズ装置及びシールド筐体等の斜視図である。
【図４】図４（Ａ）は図３のレンズ装置及びシールド筐体等の分解斜視図であり、図４（Ｂ）はレンズ装置取り付け板の斜視図である。
【図５】図２、図３等に示すレンズ装置の分解斜視図である。
【図６】図２、図３等に示すレンズ装置、撮像装置及びレンズ装置取り付け板等の断面図である。
【図７】図６のレンズ装置及び撮像装置等の光軸に沿った水平断面図である。
【図８】導電性部の他の例を示す図である。
【図９】図８の導電性部を採用したレンズ装置、撮像装置及びレンズ装置取り付け板等の断面図である。
【図１０】レンズ装置のさらに他の例の斜視図である。
【図１１】図１０のレンズ装置、撮像装置及びレンズ装置取り付け板等の断面図である。
【図１２】画像読取装置の従来例を示す図である。
【発明を実施するための形態】
【００３９】
図１に本発明に係る画像読取装置の１例１０を備えた画像形成装置の１例１００を示す。
図１の画像形成装置１００はプリンタ部２０に画像読取装置１０を搭載した画像形成装置である。
【００４０】
プリンタ部２０は、画像読取装置１０で読み取られる原稿の画像情報に基づいて原稿の複写画像を形成することができるほか、図示省略のコンピュータ、ファクシミリ機等から供給される画像情報に基づいて画像形成することもできる。
【００４１】
プリンタ部２０は、電子写真方式により記録用紙等の記録シートＳｈに画像形成できる。
プリンタ部はモノクロ画像を形成するものでも、カラー画像を形成できるものでもよいが、本例のものは、カラー画像を形成できる。
【００４２】
プリンタ部２０は、イエロー画像形成ユニットＹ、マゼンタ画像形成ユニットＭ、シアン画像形成ユニットＣ、ブラック画像形成ユニットＫを中間転写ベルトｂに沿って配列した、いわゆるタンデム型のカラープリンタである。各画像形成ユニットにより形成されるトナー像を中間転写ベルトｂに１次転写し、ベルトｂ上に重ねて１次転写されたトナー像をシート供給部ＣＳのカセットＣ１〜Ｃ４のいずれかから供給される記録シートＳｈに２次転写し、定着装置ｆで定着して排出トレイＴへ排出することができる。
【００４３】
画像読取装置１０は自動原稿搬送装置ＡＤＦを搭載したものであり、以下に述べる点（シールド筐体等）を除けば、図１２に示す画像読取装置１０’と概ね同構造である。
画像読取装置１０における画像読取装置１０’の部品、部分等と同じ部品、部分等には画像読取装置１０’と同じ参照符号を付してある。
【００４４】
画像読取装置１０は画像読取装置１０’と同様に原稿載置用ガラス板Ｇ１及び原稿流し撮り用ガラス板Ｇ２と、それらガラス板Ｇ１、Ｇ２の下方に配置されてガラス板Ｇ１又はＧ２上の原稿を照明するとともに原稿からの反射光を原稿副走査方向Ｘに反射する第１走査ユニットＵ１と、第１走査ユニットＵ１からの反射光を副走査方向Ｘに反対側へ折り返し反射する第２走査ユニットＵ２と、レンズ装置３及びその後方の撮像装置４等を含んでいる。
【００４５】
画像読取装置１０は画像読取装置１０’と同じように原稿載置用ガラス板Ｇ１上に載置された原稿を読み取ることができ、また、自動原稿搬送装置ＡＤＦにより原稿載置用トレイＴ１に載置した原稿Ｓを図示省略の原稿搬送機構にてガラス板Ｇ２に沿わせつつ排出トレイＴ２へ搬送するとともに走査ユニットＵ１、Ｕ２を原稿流し撮りのための定位置に配置して該原稿を読み取ることもできる。
画像読取装置１０で読み取られた画像情報はプリンタ部２０へ、或いは外部のコンピュータ、ファクシミリ機等へ供給される。
【００４６】
画像読取装置１０では、撮像装置４は撮像素子としてＣＣＤ（電荷結合素子）が採用されており、ＣＣＤを搭載したＣＣＤ基板４１がレンズ装置３の後方に配置されている。
レンズ装置３は、図５、図６に示すように合成樹脂製のレンズ保持鏡胴（鏡胴本体）３０に光軸Ｌｃ（図６参照）方向において前側から導電性リング３５、２枚レンズ３２１、３２２からなる２群レンズ３２及び１枚レンズからなる１群レンズ３１をこの順序で圧入し、後ろ側から２枚レンズ３３１，３３２からなる３群レンズ３３及び１枚レンズからなる４群レンズ３４をこの順序で圧入したものである。
【００４７】
レンズ装置３は２群レンズ３２と３群レンズ３３との間に絞り部Ｓｑを設けた４群６枚のレンズからなるダブルガウス型レンズを採用したものである。光路は絞り部近傍で括れて細くなっている。
【００４８】
導電性リング３５はこの絞り部Ｓｑに臨むように配置されている。
導電性リング３５はレンズ装置３に走査ユニットＵ２から入射されて撮像装置４に結像されるべき光の通過を許す範囲で絞られた小さい絞り開口３５１を有している。
【００４９】
レンズ装置３のレンズ保持鏡胴３０の壁には、図５、図６に示すように、上面側に一つのスリット形態の孔３０１が形成されているとともに下面側にも一つのスリット形態の孔３０２が形成されている。
【００５０】
レンズ装置３はそのレンズ保持鏡胴３０で導電性のレンズ装置取り付け板５にとりつけられている。レンズ装置取り付け板５は図４（Ｂ）に示すようにレンズ保持鏡胴３０の前端部の下部３０ａが嵌入する開口５１及びレンズ保持鏡胴３０の後端部の下部３０ｂが嵌入する開口５２を有している。
【００５１】
レンズ保持鏡胴３０はその下部３０ａ，３０ｂでレンズ装置取り付け板５の開口５１，５２に嵌入されており、さらに、取り付け板５の開口５１、５２の間の部分５３に立設された突起部５３１（図６参照）がレンズ保持鏡胴の下面側の孔３０２から鏡胴内に差し込まれ、導電性リング３５に電気的に導通可能に接触している。
【００５２】
図３、図４（Ａ）等に示されるように、レンズ装置取り付け板５は導電性調整板６に光軸Ｌｃ方向に位置調整可能に取り付けられている。導電性調整板６は、レンズ装置３の前後左右の傾きを調整できるように、導電性の補強板７（図２参照）に取り付けられており、補強板７は画像読取装置フレームＦの導電性の底板ｆｂに取り付けられている。
【００５３】
図６に示すように、レンズ装置取り付け板５の後端部に撮像装置４のＣＣＤ基板４１を支持するための基板支持部材８が取り付けられており、この基板支持部材８にＣＣＤ基板４１が支持されている。
【００５４】
また、レンズ装置３の後端からＣＣＤ基板４１にかけて光ノイズ侵入防止用の遮光カバー３００が設けられている。
さらに、撮像装置４からの電磁波ノイズ漏れを抑制するためのシールド筐体９が設けられている。
【００５５】
シールド筐体９は、導電性板から形成されており、図３、図４にも示すように、天壁９１、天壁周縁から下降する両側壁９２、前壁９３及び後壁９４を含んでいる。シールド筐体９はレンズ装置３のほぼ中ほどから撮像装置４の後ろ側まで、遮光カバー３００の上から覆っており、レンズ装置取り付け板５、補強板７等に螺子止めされている。
【００５６】
シールド筐体９の前壁９３には、図４（Ａ）、図６に示すようにアーチ形状の開口９３０が形成されているとともに、開口縁から一体的に突起部９３１が突出している。この突起部９３１がレンズ保持鏡胴３０の上面側の孔３０１から鏡胴内に差し込まれ、導電性リング３５に電気的に導通可能に接触している。
【００５７】
かくして、シールド筐体９は、後部において補強板７等を介して画像読取装置フレームＦに導通しているとともに、前部においてレンズ保持鏡胴内の導電性リング３５を介してレンズ装置取り付け板５に、ひいては画像読取装置フレームＦに導通している。
【００５８】
画像読取装置１０によると、レンズ装置３のレンズ保持鏡胴３０は、レンズ装置３の絞り部Ｓｑに臨むとともにレンズ装置３に入射されて撮像装置４に結像されるべき光の通過を許す範囲で絞られた、絞り開口３５１を有する導電性リング３５を含んでいる。
【００５９】
さらにいえば、この導電性リング３５はレンズ装置３の光路が括れた部分に臨んでおり、レンズ装置３に入射されて撮像装置４に結像されるべき光の通過を許す範囲で絞られた、小さい絞り開口３５１を有している。
【００６０】
電磁波ノイズ漏れ抑制のためのシールド筐体９は、その前壁９３がこの絞り開口３５１を有する導電性リング３５に臨むレンズ保持鏡胴部位に開口部９３０で外嵌係合されており、シールド筐体９の前壁９３及びレンズ装置取り付け板５が導電性リング３５に導通状態におかれている
【００６１】
したがって、ＣＣＤ基板４１からの電磁波ノイズ漏れを、シールド筐体９だけでなくこのシールド筐体９と前記絞られた（それだけ小さい開口面積の）絞り開口３５１を有する導電性リング３５とで抑制することができ、従来問題とされてきた、レンズ装置における光路確保のための大きい開口からの電磁波ノイズ漏れの問題をそれだけ解消できる。
【００６２】
図７は図６のレンズ装置及び撮像装置等の光軸Ｌｃに沿った水平断面図であるが、この図からわかるように、シールド筐体の光を通過させる開口をレンズ装置３より光軸Ｌｃ方向において前側位置Ａやレンズ装置３の後ろ側でＣＣＤ基板に臨む位置Ｂに設けるならば、開口は大きくせざる得ないところ、シールド筐体９では、絞り部Ｓｑに臨む位置Ｃに設けているので、位置ＡやＢよりも小さく形成できることがわかる。
かくして、従来の同種の画像読取装置と比べるとより確実に電磁波ノイズ漏れを抑制することができる。
【００６３】
図６のレンズ装置３ではレンズ保持鏡胴３０内の導電性リング３５は周縁部に突起の無い円形リングであったが、このリング３５に代えて図８に示すように、突起部３５２、３５３を周縁部から突出させたリング３５’を採用してもよい。リング３５’は突起部３５２、３５３の点を除けばリング３５と同じである。リング３５と同寸法の開口３５１も有している。
【００６４】
このリング３５’を採用する場合、図９に示すように、リング３５’の突起部３５２をレンズ保持鏡胴３０の上面側に形成した孔３０３から突出させるとともに突起部３５２にシールド筐体９の前壁９３の開口縁部の突起部９３１を導通可能に接触させ、さらに、リング３５’の突起部３５３をレンズ保持鏡胴３０の下面側に形成した孔３０４から突出させるとともにレンズ装置取り付け板５に導通可能に接触させればよい。
【００６５】
このように構成しても、図６の場合と同様に従来の同種の画像読取装置と比べるとより確実に電磁波ノイズ漏れを抑制することができる。
【００６６】
レンズ装置におけるレンズ保持鏡胴は導電性材料で形成してもよい。図１０はレンズ保持鏡胴３０’が黒アルマイト処理されたアルミニゥム材で形成されたレンズ装置３’を示している。レンズ装置３に代えてこのレンズ装置３’を採用することもできる。
【００６７】
レンズ保持鏡胴３０’は全体が一体的に形成されており、上面側に座ぐり部３０ｃを、下面側に座ぐり部３０ｄを有している。図１１に示すように、鏡胴内部にはレンズ装置３の場合と同じレンズ群３１、３２，３３，３４が嵌入配置されている。
【００６８】
レンズ保持鏡胴３０’はレンズ装置３の場合の導電性リング３５も一体的に形成した形態のものであり、導電性リング３５相当部分３５’は絞り部Ｓｑに臨むように配置されており、レンズ装置３’に走査ユニットＵ２から入射されて撮像装置４に結像されるべき光の通過を許す範囲で絞られた小さい絞り開口３５１’を有している。
【００６９】
鏡胴３０’はレンズ装置３の場合と同じように、レンズ装置取り付け板５の開口５１’、５２’に嵌入させ、さらに、取り付け板５の開口５１’、５２’の間の部分５３’を鏡胴３０’の下側座ぐり部３０ｄに嵌入係合させて両者間に導通状態を設定すればよい。
【００７０】
さらに、シールド筐体９の前壁９３の開口９３０の縁部(この場合、突起部は無しとした開口縁部)を鏡胴３０’の上側座ぐり部３０ｃに嵌入係合させて両者間に導通状態を設定すればよい。
このように構成しても、図６の場合と同様に従来の同種の画像読取装置と比べるとより確実に電磁波ノイズ漏れを抑制することができる。
【００７１】
レンズ装置３’ではシールド筐体９及びレンズ装置取り付け板５とレンズ保持鏡胴３０’との導通設定を鏡胴３０’に形成した座ぐり部３０ｃ、３０ｄへのシールド筐体９及びレンズ装置取り付け板５の係合により行ったが、レンズ保持鏡胴３０’に形成した孔（図示省略）にシールド筐体９及びレンズ装置取り付け板５からの突起部（図示省略）を係合導通させるなどしてもよい。
【産業上の利用可能性】
【００７２】
光学的に原稿画像を読み取る画像読取装置であって、撮像装置からの電磁波ノイズ漏れを従来の同種の画像読取装置と比べるとより確実に抑制することができる画像読取装置を提供することに利用できる。
【符号の説明】
【００７３】
１００  画像形成装置
１０  画像読取装置
Ｆ  画像読取装置フレーム
９  シールド筐体
９３  前壁
９３０  前壁開口部
９３１  突起部
２０  プリンタ部
３、３’  レンズ装置
Ｓｑ  絞り部
３０、３０’  レンズ保持鏡胴
３１、３２、３３、３４、３５  レンズ群
３５、３５’  導電性リング
３５１  導電性リングの開口
３５２、３５３  導電性リングの突起部
３０１、３０２、３０３、３０４  レンズ保持鏡胴の壁の孔
３０ｃ、３０ｄ  レンズ保持鏡胴３０’の座ぐり部
４  撮像装置
４１  ＣＣＤ基板
５  レンズ装置取り付け板
【図１】
2012151620.tif 000003
【図２】
2012151620.tif 000004
【図３】
2012151620.tif 000005
【図４】
2012151620.tif 000006
【図５】
2012151620.tif 000007
【図６】
2012151620.tif 000008
【図７】
2012151620.tif 000009
【図８】
2012151620.tif 000010
【図９】
2012151620.tif 000011
【図１０】
2012151620.tif 000012
【図１１】
2012151620.tif 000013
【図１２】
2012151620.tif 000014